(57)【特許請求の範囲】
【請求項１】
絶縁柱体内に、第１及び第２の内部導体が、上記絶縁柱体の軸線を通る面上において、上記絶縁柱体の軸線からみて互に対称に且つ上記絶縁柱体の軸線とともに平行な関係を保って延長配列され、且つ上記絶縁柱体の周りに、接地に接続される外部導体が配されている、という構成を有する、高周波信号を分配するのに用いる高周波分配器において、
上記絶縁柱体内に、第１及び第２の内部導体間の高周波結合度を調整するための、接地に接続される第１及び第２の高周波結合度調整用導体が、上記第１及び第２の内部導体が延長配列されている上記絶縁柱体の軸線を通る面と直交する上記絶縁柱体の軸線を通る面上において、上記絶縁柱体の軸線からみて互に対称に且つ上記絶縁柱体の軸線とともに平行な関係を保って延長配列されていることを特徴とする高周波分配器。
【請求項２】
請求項１記載の高周波分配器において、
上記第１及び第２の高周波結合度調整用導体が、それらの端において、上記接地に接続される外部導体に連結されていることを特徴とする高周波分配器。
【発明の詳細な説明】
【０００１】
【発明の属する技術分野】
本発明は、絶縁柱体内に、第１及び第２の内部導体が、絶縁柱体の軸線を通る面上において、絶縁柱体の軸線からみて互に対称に且つ絶縁柱体の軸線とともに平行な関係を保って延長配列され、且つ絶縁柱体の周りに、外部導体が配されている、という構成を有する、高周波信号を分配するのに用いる高周波分配器に関する。
【０００２】
【従来の技術】
従来、図３に示すような、断面円形の絶縁柱体１内に、断面円形の第１及び第２の内部導体Ｌ１及びＬ２が、絶縁柱体１の軸線Ｏ−Ｏを通る面ＱＬ−ＱＬ上において、絶縁柱体１の軸線Ｏ−Ｏからみて互に対称に且つ絶縁柱体１の軸線Ｏ−Ｏとともに平行な関係を保っているとともに両端部をそれぞれ絶縁柱体１の両端面１ａ及び１ｂから外部に導出して、延長配列され、且つ絶縁柱体１の周りに、断面円環形の外部導体２が、絶縁柱体１のほぼ全長さに亘って延長して、配されている、という構成を有する、高周波信号を分配するのに用いる高周波分配器が実用化されている。
この場合、分配する高周波信号の波長を一般にλとし、また、ｎを一般に１、５、９………とするとき、絶縁柱体１、第１及び第２の内部導体Ｌ１及びＬ２の絶縁柱体１内に延長している長さ、及び外部導体２の長さが、ほぼ（ｎ・λ／４）の長さを有する。
【０００３】
図３に示す従来の高周波分配器によれば、第１及び第２の内部導体Ｌ１及びＬ２の、絶縁柱体１の端面１ａ側から外部に導出している一端を、それそれ第１及び第３のポートＮ１及びＮ３と称し、第１及び第２の内部導体Ｌ１及びＬ２の、絶縁柱体１の端面１ｂ側から外部に導出している他端を、それぞれ第２及び第４のポートＮ２及びＮ４と称するとき、外部導体２を接地に接続し、第４のポートＮ４を、内部導体Ｌ２及び接地間の第４のポートＮ４側からみた波長λの高周波信号に対する特性インピーダンスと等しいインピーダンスを有する抵抗Ｒ４を通じて接地に接続している状態で、第１のポートＮ１に、波長λの第１の高周波信号Ｓ１を、接地を基準として、供給すれば、第２のポートＮ２に、波長λの第２の高周波信号Ｓ２が、接地を基準として、第１の高周波信号Ｓ１に対してほぼ９０°の位相差を有して得られ、第３のポートＮ３に、波長λの第３の高周波信号Ｓ３が、接地を基準として、高周波信号Ｓ１とほぼ同相で得られ、第４のポートＮ４に、波長λの第４の高周波信号Ｓ４が、接地を基準として実質的に得られない、という高周波分配器としての機能を得ることができる。
【０００４】
そして、この場合、第１及び第２の内部導体Ｌ１及びＬ２間の中心間間隔（これをｄ１２とする）が小さければ小さい程、第１及び第２の内部導体Ｌ１及びＬ２間の波長λを有する高周波信号による高周波結合度（これをＣ１２とする）が大きく得られ、このため、第２のポートＮ２に得られる第２の高周波信号Ｓ２の電力（これをＰ２とする）が、第１のポートＮ１に供給される第１の高周波信号Ｓ１の電力（これをＰ１とする）との比Ｐ２／Ｐ１でみて小さく得られ且つ第３のポートＮ３に得られる第３の高周波信号Ｓ３の電力（これをＰ３とする）が、第１の高周波信号Ｓ１の電力Ｐ１との比Ｐ３／Ｐ１でみて大きく得られ、従って、第２及び第３の高周波信号Ｓ２及びＳ３の電力比Ｐ２／Ｐ３（これをＧ２３とする）が小さく得られる。
【０００５】
また、第１及び第２の内部導体Ｌ１及びＬ２間中心間間隔ｄ１２が大きければ大きい程、第１及び第２の内部導体Ｌ１及びＬ２間の高周波結合度Ｃ１２が小さく得られ、このため、第２の高周波信号Ｓ２の電力Ｐ２が、第１の高周波信号Ｓ１の電力Ｐ１との比Ｐ２／Ｐ１でみて大きく得られ、且つ高周波信号Ｓ３の電力Ｐ３が、第１の高周波信号Ｓ１の電力Ｐ１との比Ｐ３／Ｐ１でみて小さく得られ、従って、第２及び第３の高周波信号Ｓ２及びＳ３の電力比Ｇ２３（＝Ｐ２／Ｐ３）が大きく得られる。
【０００６】
【発明が解決しようとする課題】
上述したように、図３に示す従来の高周波分配器の場合、第１及び第２の内部導体Ｌ１及びＬ２間の中心間間隔ｄ１２が小さければ小さい程、第１及び第２の内部導体Ｌ１及びＬ２間の高周波結合度Ｃ１２が大きく得られ、また、第１及び第２の内部導体Ｌ１及びＬ２間の中心間隔ｄ１２が大きければ大きい程、第１及び第２の内部導体Ｌ１及びＬ２間の高周波結合度Ｃ１２が小さく得られるが、この場合、第１及び第２の内部導体Ｌ１及びＬ２間の中心間間隔ｄ１２のとり得る最小値（これをｄ１２ｍｉｎ  とする）は、第１及び第２の内部導体Ｌ１及びＬ２の直径φＬ１及びφＬ２が互に等しいφＬ  であるとするとき、φＬ  よりも大きいが製造上から制限されて決められるφＬ  に近い値ｄａ  であり、また、第１及び第２の内部導体Ｌ１及びＬ２間の中心間間隔ｄ１２のとり得る最大値（これをｄ１２ｍａｘ  とする）は、（φ１  −φＬ  ）よりも小さいが同様に製造上から制限されて決められる（φ１  −φＬ  ）に近い値ｄｂ  である。
【０００７】
従って、第１及び第２の内部導体Ｌ１及びＬ２間の中心間間隔ｄ１２が小さければ小さい程、第１及び第２の内部導体Ｌ１及びＬ２間の高周波結合度Ｃ１２が大きく得られるとする、その高周波結合度Ｃ１２が大きく得られることのできる最大値（これを（Ｃ１２ｍａｘ  とする）が、第１及び第２の内部導体Ｌ１及びＬ２間の中心間間隔ｄ１２の製造上から制限されて決められる最小値ｄ１２ｍｉｎ  （＝ｄａ  ）によって制限された値で得られ、また、第１及び第２の内部導体Ｌ１及びＬ２間の中心間間隔ｄ１２が大きければ大きい程、第１及び第２の内部導体Ｌ１及びＬ２間の高周波結合度Ｃ１２が小さく得られるとする、その高周波結合度Ｃ１２が小さく得られることのできる最小値（これを（Ｃ１２ｍｉｎ  とする）が、第１及び第２の内部導体Ｌ１及びＬ２間の中心間間隔ｄ１２の製造上から制限されて決められる最大値ｄ１２ｍａｘ  （＝ｄｂ  ）によって制限された値で得られる。
【０００８】
以上のことから、図３に示す従来の高周波分配器の場合、第１及び第２の内部導体Ｌ１及びＬ２間の高周波結合度Ｃ１２のとり得る範囲が、第１及び第２の内部導体Ｌ１及びＬ２間の中心間間隔ｄ１２のとり得る、製造上から制限されて決められる最大値ｄ１２ｍａｘ  （＝ｄｌｂ  ）によって制限された値で得られる最小値Ｃ１２ｍｉｎ  から、第１及び第２の内部導体Ｌ１及びＬ２間の中心間間隔ｄ１２のとり得る、製造上から制限されて決められる最小値ｄ１２ｍｉｎ  （＝ｄｌａ  ）によって制限された値で得られる最大値Ｃ１２ｍａｘ  まで、という一定の限度を有していた。
【０００９】
従って、図３に示す従来の高周波分配器の場合、上述したようにして、外部導体２が接地され、第４のポートＮ４が抵抗Ｒ４を通じて接地されている状態で、第１のポートＮ１に第１の高周波信号Ｓ１を供給することによって、第２のポートＮ２から第１の高周波信号Ｓ１に対して９０°の位相差を有する第２の高周波信号Ｓ２を得、第３のポートＮ３から第１の高周波信号Ｓ１と同相の第３の高周波信号Ｓ３を得るようにした使用時における、第２のポートＮ２で得られる高周波信号Ｓ２の電力Ｐ２と第３のポートＮ３で得られる高周波信号Ｓ３の電力Ｐ３との電力比Ｇ２３（＝Ｐ２／Ｐ３）のとり得る範囲が、第１及び第２の内部導体Ｌ１及びＬ２間の中心間間隔ｄ１２のとり得る、製造上から制限されて決められる最小値ｄ１２ｍｉｎ  （＝ｄａ  ）によって決まる最小値（これをＧ２３ｍｉｎ  とする）から、第１及び第２の内部導体Ｌ１及びＬ２間の中心間間隔ｄ１２のとり得る、製造上から制限されて決められる最大値ｄ１２ｍａｘ  （＝ｄｂ  ）によって決まる最大値（これをＧ２３ｍａｘ  とする）まで、という一定の限度を有していた。
【００１０】
よって、本発明は、図３に示す従来の高周波分配器で上述した高周波結合度Ｃ１２と同様の高周波結合度のとり得る範囲を、図３に示す従来の高周波分配器のとり得る範囲に比し格段的に広くとり得ることができ、このため、図３に示す従来の高周波分配器で上述した電力比Ｇ２３と同様の電力比のとり得る範囲を、図３に示す従来の高周波分配器のとり得る範囲に比し格段的に広くとることができる、新規な高周波分配器を提案せんとするものである。
【００１１】
【課題を解決するための手段】
本発明による高周波分配器は、図３に示す従来の高周波分配器の場合と同様の、絶縁柱体内に、第１及び第２の内部導体が、上記絶縁柱体の軸線を通る面上において、上記絶縁柱体の軸線からみて互に対称に且つ上記絶縁柱体の軸線とともに平行な関係を保って延長配列され、且つ上記絶縁柱体の周りに、接地に接続される外部導体が配されている、という構成を有する、高周波信号を分配するのに用いる高周波分配器において、上記絶縁柱体内に、第１及び第２の内部導体間の高周波結合度を調整するための、接地に接続される第１及び第２の高周波結合度調整用導体が、上記第１及び第２の内部導体が延長配列されている上記絶縁柱体の軸線を通る面と直交する上記絶縁柱体の軸線を通る面上において、上記絶縁柱体の軸線からみて互に対称に且つ上記絶縁柱体の軸線とともに平行な関係を保って延長配列されている。
【００１２】
この場合、上記第１及び第２の高周波結合度調整用導体が、それらの端において、上記接地に接続される外部導体に連結されているのを可とする。
【００１３】
【発明の実施の形態１】
次に、図１を伴って本発明による高周波分配器の第１の実施の形態を述べよう。
図１において、図３との対応部分には同一符号を付して示す。
【００１４】
図１に示す本発明による高周波分配器は、図３に示す従来の高周波分配器の場合と同様に、断面円形の絶縁柱体１内に、断面円形の第１及び第２の内部導体Ｌ１及びＬ２が、絶縁柱体１の軸線Ｏ−Ｏを通る面ＱＬ−ＱＬ上において、絶縁柱体１の軸線Ｏ−Ｏからみて互に対称に且つ絶縁柱体１の軸線Ｏ−Ｏと平行な関係を保っているとともに両端部をそれぞれ絶縁柱体１の両端面１ａ及び１ｂから外部に導出して、延長配列され、且つ絶縁柱体１の周りに、断面円環形の外部導体２が、絶縁柱体１のほぼ全長さに亘って延長して、配されている、という構成を有する。
【００１５】
この場合、図３に示す従来の高周波分配器の場合と同様に、分配する高周波信号の波長を一般にλとし、また、ｎを一般に１、５、９………とするとき、絶縁柱体１、第１及び第２の内部導体Ｌ１及びＬ２の絶縁柱体１内に延長している長さ、及び外部導体２の長さが、ほぼ（ｎ・λ／４）の長さを有する。
【００１６】
また、絶縁柱体１内に、第１及び第２の内部導体Ｌ１及びＬ２間の波長λを有する高周波信号による高周波結合度Ｃ１２を調整するための第１及び第２の高周波結合度調整用導体Ｈ１及びＨ２が、第１及び第２の内部導体Ｌ１及びＬ２が配列延長している絶縁柱体１の軸線Ｏ−Ｏを通る面ＱＬ−ＱＬと直交する絶縁柱体１の軸線Ｏ−Ｏを通る面ＱＨ−ＱＨ上において、絶縁柱体１の軸線Ｏ−Ｏからみて互に対称に且つ絶縁柱体１の軸線Ｏ−Ｏとともに平行な関係を保っているとともに両端部を絶縁柱体１の両端面１ａ及び１ｂからそれぞれ外部に導出して、延長配列されている。
【００１７】
以上が、本発明による高周波分配器の第１の実施の形態の構成である。
このような構成を有する本発明による高周波分配器によれば、上述したところから明らかなように、図３に示す従来の高周波分配器において、その絶縁柱体１内に、第１及び第２の高周波結合度調整用導体Ｈ１及びＨ２が、第１及び第２の内部導体Ｌ１及びＬ２が配列延長している絶縁柱体１の軸線Ｏ−Ｏを通る面ＱＬ−ＱＬと直交する絶縁柱体１の軸線Ｏ−Ｏを通る面ＱＨ−ＱＨ上において、絶縁柱体１の軸線Ｏ−Ｏからみて互に対称に且つ絶縁柱体１の軸線Ｏ−Ｏとともに平行な関係を保っているとともに両端部をそれぞれ絶縁柱体１の両端面１ａ及び１ｂから外部に導出して、延長配列されていることを除いて、図３に示す従来の高周波分配器の場合と同様の構成を有する。
【００１８】
このため、図１に示す本発明による高周波分配器によれば、図３に示す従来の高周波分配器の場合と同様に、第１及び第２の内部導体Ｌ１及びＬ２の絶縁柱体１の端面１ａ側から外部に導出している一端を、それそれ第１及び第３のポートＮ１及びＮ３と称し、第１及び第２の内部導体Ｌ１及びＬ２の絶縁柱体１の端面１ａ側から外部に導出している他端を、それぞれ第２及び第４のポートＮ２及びＮ４と称するとき、外部導体２を接地に接続し、第４のポートＮ４を、内部導体Ｌ２及び接地間の第４のポートＮ４側からみた波長λの高周波信号に対する特性インピーダンスと等しいインピーダンスを有する抵抗Ｒ４を通じて接地に接続している状態で、第１のポートＮ１に、波長λの第１の高周波信号Ｓ１を、接地を基準として、供給すれば、第２のポートＮ２に、波長λの第２の高周波信号Ｓ２が、接地を基準として、第１の高周波信号Ｓ１に対してほぼ９０°の位相差を有して得られ、第３のポートＮ３に、波長λの第３の高周波信号Ｓ３が、接地を基準として、高周波信号Ｓ１とほぼ同相で得られ、第４のポートＮ４に、波長λの第４の高周波信号Ｓ４が、接地を基準として実質的に得られない、という高周波分配器としての機能を得ることができる。
【００１９】
そして、この場合、図３に示す従来の高周波分配器で述べたと同様に、第１及び第２の内部導体Ｌ１及びＬ２間の中心間間隔ｄ１２が小さければ小さい程、第１及び第２の内部導体Ｌ１及びＬ２間の高周波結合度Ｃ１２が大きく得られ、このため、第２のポートＮ２に得られる第２の高周波信号Ｓ２の電力Ｐ２が、第１のポートＮ１に供給される第１の高周波信号Ｓ１の電力Ｐ１との比Ｐ２／Ｐ１でみて小さく得られ且つ第３のポートＮ３に得られる第３の高周波信号Ｓ３の電力Ｐ３が、第１の高周波信号Ｓ１の電力Ｐ１との比Ｐ３／Ｐ１でみて大きく得られ、従って、第２及び第３の高周波信号Ｓ２及びＳ３の電力比Ｇ２３（＝Ｐ２／Ｐ３）が小さく得られる。
【００２０】
また、図３に示す従来の高周波分配器の場合で述べたと同様に、第１及び第２の内部導体Ｌ１及びＬ２間中心間間隔ｄ１２が大きければ大きい程、第１及び第２の内部導体Ｌ１及びＬ２間の高周波結合度Ｃ１２が小さく得られ、このため、第２の高周波信号Ｓ２の電力Ｐ２が、第１の高周波信号Ｓ１の電力Ｐ１との比Ｐ２／Ｐ１でみて大きく得られ、且つ高周波信号Ｓ３の電力Ｐ３が、第１の高周波信号Ｓ１の電力Ｐ１との比Ｐ３／Ｐ１でみて小さく得られ、従って、第２及び第３の高周波信号Ｓ２及びＳ３の電力比Ｇ２３（＝Ｐ２／Ｐ３）が大きく得られる。
【００２１】
さらに、図１に示す本発明による高周波分配器の場合も、図３に示す従来の高周波分配器の場合と同様に、第１及び第２の内部導体Ｌ１及びＬ２間の中心間間隔ｄ１２が小さければ小さい程、第１及び第２の内部導体Ｌ１及びＬ２間の高周波結合度Ｃ１２が大きく得られ、また、第１及び第２の内部導体Ｌ１及びＬ２間の中心間隔ｄ１２が大きければ大きい程、第１及び第２の内部導体Ｌ１及びＬ２間の高周波結合度Ｃ１２が小さく得られるが、この場合、第１及び第２の内部導体Ｌ１及びＬ２間の中心間間隔ｄ１２のとり得る最小値ｄ１２ｍｉｎ  は、第１及び第２の内部導体Ｌ１及びＬ２の直径φＬ１及びφＬ２を互に等しいφＬ  とするとき、φＬ  よりも大きいが製造上から制限されて決められるφＬ  に近い値ｄａ  であり、また、第１及び第２の内部導体Ｌ１及びＬ２間の中心間間隔ｄ１２のとり得る最大値ｄ１２ｍａｘ  は、（φ１  −φＬ  ）よりも小さいが同様に製造上から制限されて決められる（φ１  −φＬ  ）に近い値ｄｂ  である。
【００２２】
ところで、図１に示す本発明による高周波分配器の場合、絶縁柱体１内に、第１及び第２の内部導体Ｌ１及びＬ２間の高周波結合度Ｃ１２を調整するための第１及び第２の高周波結合度調整用導体Ｈ１及びＨ２が、第１及び第２の内部導体Ｌ１及びＬ２が配列延長している絶縁柱体１の軸線Ｏ−Ｏを通る面ＱＬ−ＱＬと直交する絶縁柱体１の軸線Ｏ−Ｏを通る面ＱＨ−ＱＨ上において、絶縁柱体１の軸線Ｏ−Ｏからみて互に対称な関係を保って延長配列されている。
【００２３】
このため、上述したようにして、外部導体２が接地され、第４のポートＮ４が抵抗Ｒ４を通じて接地されている状態で、第１のポートＮ１に第１の高周波信号Ｓ１を供給することによって、第２のポートＮ２から第１の高周波信号Ｓ１に対して９０°の位相差を有する第２の高周波信号Ｓ２を得、第３のポートＮ３から第１の高周波信号Ｓ１と同相の第３の高周波信号Ｓ３を得るようにした使用時、第１及び第２の高周波結合度調整用導体Ｈ１及びＨ２を、その端において、外部導体２に連結することによって、その外部導体２を介して接地に接続し、または、その端を、直接接地に接続することによって、接地に接続しておけば、第１の内部導体Ｌ１から第２の内部導体Ｌ２に到る電気力線が、第１及び第２の内部導体Ｌ１及びＬ２間の中心間間隔ｄ１２が上述した最小値ｄ１２ｍｉｎ  である場合は、第１及び第２の高周波結合度調整用導体Ｈ１及びＨ２を有していない場合とほぼ同様に得られるが、第１及び第２の高周波結合度調整用導体Ｈ１及びＨ２間の中心間間隔ｄ１２が上述した最大値ｄ１２ｍａｘ  である場合は、第１及び第２の高周波結合度調整用導体Ｈ１及びＨ２を有していない場合に比し、格段的に少なく得られることから、第１及び第２の内部導体Ｌ１及びＬ２間の中心間間隔ｄ１２が小さければ小さい程、第１及び第２の内部導体Ｌ１及びＬ２間の高周波結合度Ｃ１２が大きく得られるとする、その高周波結合度が大きく得られることのできる最大値Ｃ１２ｍａｘ  を、第１及び第２の内部導体Ｌ１及びＬ２間中心間間隔ｄ１２の製造上から制限されて決められる最小値ｄ１２ｍｉｎ  とほぼ同じ値によって制限された値で得られるとしても、第１及び第２の内部導体Ｌ１及びＬ２間の中心間間隔ｄ１２が大きければ大きい程、第１及び第２の内部導体Ｌ１及びＬ２間の高周波結合度Ｃ１２が小さく得られるとする、その高周波結合度が小さく得られることのできる最小値Ｃ１２ｍｉｎ  を、第１及び第２の内部導体Ｌ１及びＬ２間の中心間間隔ｄ１２の製造上から制限されて決められる最大値ｄ１２ｍａｘ  によって制限されず、最大値ｄ１２ｍａｘ  によって制限される値に比し格段的に大きな値で得ることができる。
【００２４】
以上のことから、図１に示す本発明による高周波分配器の場合、第１及び第２の内部導体Ｌ１及びＬ２間の高周波結合度Ｃ１２のとり得る範囲を、図３に示す従来の高周波分配器の場合に比し、格段的に大きくとらせることができる。
【００２５】
従って、図１に示す本発明による高周波分配器の場合、上述したようにして、外部導体２が接地され、第４のポートＮ４が抵抗Ｒ４を通じて接地され、第１及び第２の高周波結合度調整用導体Ｈ１及びＨ２が接地されている状態で、第１のポートＮ１に第１の高周波信号Ｓ１を供給することによって、第２のポートＮ２から第１の高周波信号Ｓ１に対して９０°の位相差を有する第２の高周波信号Ｓ２を得、第３のポートＮ３から第１の高周波信号Ｓ１と同様の第３の高周波信号Ｓ３を得るようにした使用時における、第２のポートＮ２で得られる高周波信号Ｓ２の電力Ｐ２と第３のポートＮ３で得られる高周波信号Ｓ３の電力Ｐ３との電力比Ｇ２３（Ｐ２／Ｐ３）のとり得る範囲を、図３に示す従来の高周波分配器の場合に比し、格段的に大きくとらせることができる。
【００２６】
【発明の実施の形態２】
次に、図２を伴って本発明による高周波分配器の第２の実施の形態を述べよう。
図２において、図１との対応部分には同一符号を付し、詳細説明を省略する。
【００２７】
図２に示す本発明による高周波分配器は、図１に示す本発明による高周波分配器において、第１及び第２の高周波結合度調整用導体Ｈ１及びＨ２が、絶縁柱体１の端面１ａ側から外部に導出している一端において、ともに折曲げられて外部導体２の絶縁柱体１の端面１ａ側に、融着、半田付けなどによって連結され、また、絶縁柱体１の端面１ｂ側から外部に導出している他端において、ともに同様に折曲げられて、外部導体２の、絶縁柱体１の端面１ｂ側に、同様に融着、半田付けなどによって連結されているとこを除いて、図１に示す本発明による高周波分配器の場合と同様の構成を有する。
【００２８】
図２に示す本発明によれば、上述した事項を除いて、図１に示す本発明による高周波分配器と同様の構成を有するので、詳細説明は省略するが、第４のポートＮ４が抵抗Ｒ４を通じて接地されている状態で、第１のポートＮ１に高周波信号Ｓ１を供給することによって、第２のポートＮ２から第１の高周波信号Ｓ１に対して９０°の位相差を有する高周波信号Ｓ２を得、第３のポートＮ３から第１の高周波信号Ｓ１と同相の第３の高周波信号Ｓ３を得るようにした使用時において、外部導体２が接地に接続されていれば、第１及び第２の高周波結合度調整用導体Ｈ１及びＨ２を接地に接続することなしに、また、外部導体２が接地されていなければ、第１及び第２の高周波結合度調整用導体Ｈ１及びＨ２を接地に接続することによって、外部導体２と第１及び第２の高周波結合度調整用導体Ｈ１及びＨ２とが接地されている状態で、図１に示す本発明による高周波分配器の場合で述べたと同様の作用・効果を得ることができる。
【００２９】
なお、上述においては、第１及び第２の内部導体Ｌ１及びＬ２を、それらの両端が絶縁柱体１の端面１ａ及び１ｂから外部に延長している態様で、外部に導出させている場合について述べたが、第１及び第２の内部導体Ｌ１及びＬ２を、それらの端面に接触して外部に導出し得る結合器を用いて外部に導出することができることに鑑み、それらの両端が絶縁柱体１の端面１ａ及び１ｂ上またはその外側近傍にある態様で、外部に導出させた構成とすることもできる。
【００３０】
また、図１に示す本発明による高周波分配器において、第１及び第２の内部導体Ｌ１及びＬ２を、上述したように、それらの両端が絶縁柱体１の端面１ａ及び１ｂ上またはその外側近傍にある態様で、外部に導出させた構成とするとともに、第１及び第２の高周波結合度調整用導体Ｈ１及びＨ２も、それらの両端が絶縁柱体１の端面１ａ及び１ｂ上またはその近傍にある態様で、外部に導出させた構成とすることもできる。
【００３１】
さらに、図２に示す本発明による高周波分配器において、第１及び第２の高周波結合度調整用導体Ｈ１及びＨ２の一端のみを外部導体２に連結した構成とすることもでき、その他、本発明の精神を脱することなしに種々の変型、変更をなし得るであろう。
【００３２】
【発明の効果】
本発明による高周波分配器によれば、第１及び第２の内部導体間の高周波結合度のとり得る範囲を、図３に示す従来の高周波分配器の場合に比し、格段的に大きくとらせることができる。
【図面の簡単な説明】
【図１】本発明による高周波分配器の第１の実施の形態を示す略線的斜視図（図１Ａ）、その横断面図（図１Ｂ）及び縦断面図（図１Ｃ）である。
【図２】本発明による高周波分配器の第２の実施の形態を示す略線的斜視図（図２Ａ）、その横断面図（図２Ｂ）及び縦断面図（図２Ｃ）である。
【図３】従来の高周波分配器を示す略線的斜視図（図３Ａ）、その横断面図（図３Ｂ）及び縦断面図（図３Ｃ）である。
【符号の説明】
１                  絶縁柱体
１ａ、１ｂ  絶縁柱体１の端面
２                  外部導体
Ｈ１、Ｈ２  高周波結合度調整用導体
Ｌ１、Ｌ２  内部導体
Ｎ１、Ｎ２、Ｎ３、Ｎ４  ポート
Ｒ４          抵抗
【図１】
0003614357.tif 000002
【図２】
0003614357.tif 000003
【図３】
0003614357.tif 000004